Podtech/llm-jp-corpus-v4-ja_patent huggingface dataset:
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
目盛り読取用器具に使用するための回転リングシステムであって、
パターンを規定し、そしてそのような器具の読取りヘッドによって機械読み取りできる目盛線が表面に設けられた回転リングと、
少なくとも一つの中間部材と、を備え、
該少なくとも一つの中間部材は、該回転リングと、該回転リングが取り付けられる該機械の該構成要素との間に備え付けられることを特徴とする回転リングシステム。
【請求項２】
該少なくとも一つの中間部材および回転リングの内の一つに力を印加することで、該回転リングについて有効偏心距離を調整することを特徴とする請求項１に記載の回転リングシステム。
【請求項３】
前記力は、前記少なくとも一つの中間部材に印加されることを特徴とする請求項２に記載の回転リングシステム。
【請求項４】
該力は、軸方向の力であることを特徴とする請求項２または３に記載の回転リングシステム。
【請求項５】
該少なくとも一つの中間部材へ力を印加することは、該少なくとも一つの中間部材について変形をもたらすことを特徴とする請求項３または４に記載の回転リングシステム。
【請求項６】
該少なくとも一つの中間部材へ力を印加することは、該少なくとも一つの中間部材の有効な外側の偏心距離において調整をもたらすことを特徴とする請求項３から５のいずれかに記載の回転リングシステム。
【請求項７】
保持手段は、該機械の回転構成要素に該少なくとも一つの中間部材を保持するために設けられ、そして、前記力は、前記保持手段によって前記少なくとも一つの中間部材に印加されることを特徴とする請求項３から６のいずれかに記載の回転リングシステム。
【請求項８】
該少なくとも一つの中間部材には、該回転リングおよび該少なくとも一つの中間部材が該機械のある構成要素に取り付けられているとき、該少なくとも一つの中間部材の少なくとも一つのテーパを付けられた表面が、該機械の回転構成要素と該回転リングとの内の一つまたは両方のテーパを付けられた表面と当接するように、少なくとも一つのテーパを付けられた表面が設けられていることを特徴とする請求項１から４と６から７のいずれかに記載の回転リングシステム。
【請求項９】
軸方向の力は、該少なくとも一つの中間部材の該テーパを付けられている表面および、該機械の該構成要素と該回転リングとの内の一つまたは両方のテーパを付けられている表面が、互いに対して動き、該回転リングの有効偏心距離において調整をもたらすように、該少なくとも一つの中間部材と回転リングとの内の一つに印加され得ることを特徴とする請求項８に記載の回転リングシステム。
【請求項１０】
該少なくとも一つの中間部材は対応していることを特徴とする請求項１から９のいずれかに記載の回転リングシステム。
【請求項１１】
該少なくとも一つの中間部材は接線方向に対応していることを特徴とする請求項１０に記載の回転リングシステム。
【請求項１２】
該中間リングシステムは、連続したリングであることを特徴とする請求項１から１１のいずれかに記載の回転リングシステム。
【請求項１３】
該中間リングシステムは、分割されたリングを備えることを特徴とする請求項１から１１のいずれかに記載の回転リングシステム。
【請求項１４】
該中間リングシステムは、複数のセグメントを備えることを特徴とする請求項１から１１のいずれかに記載の回転リングシステム。
【請求項１５】
該少なくとも一つの中間部材は、柔軟性に富んでいることを特徴とする請求項１から１４のいずれかに記載の回転リングシステム。
【請求項１６】
該少なくとも一つの中間部材は、複数のボール形状の部材を備えることを特徴とする請求項１から１５のいずれかに記載の回転リングシステム。
【請求項１７】
該少なくとも一つの中間部材は、複数のローラーを備えることを特徴とする請求項１から１５のいずれかに記載の回転リングシステム。
【請求項１８】
該少なくとも一つの中間部材は、バネを備えることを特徴とする請求項１から１５のいずれかに記載の回転リングシステム。
【請求項１９】
アンカー手段が、該機械の該構成要素に対する該回転リングの回転を防止するために設けられていることを特徴とする請求項１から１８のいずれかに記載の回転リングシステム。
【請求項２０】
目盛り読取用器具に使用するための回転リングシステムであって、
パターンを規定し、そしてそのような器具の読取りヘッドによって機械読み取りできる目盛線が表面に設けられた回転リングと、
少なくとも一つの中間部材と、を備え、
該少なくとも一つの中間部材は、該回転リングと、該回転リングが取り付けられる該機械の該構成要素との間に備え付けられ、
前記少なくとも一つの中間部材へ力を印加することにより、該回転リングの該有効偏心距離を調整することを特徴とする回転リングシステム。
【請求項２１】
目盛り読取用器具に使用するための回転リングシステムであって、
パターンを規定し、そしてそのような器具の読取りヘッドによって機械読み取りできる目盛線が表面に設けられた回転リングと、
少なくとも一つの中間部材と、を備え、
該少なくとも一つの中間部材は、該回転リングと、該回転リングが取り付けられる該機械の該構成要素との間に備え付けられ、
該少なくとも一つの中間部材が接線方向に対応していることを特徴とする回転リングシステム。
【請求項２２】
アンカー手段は、該機械の該構成要素に関連した該回転リングの回転を防止するべく、設けられていることを特徴とする請求項２１に記載の回転リングシステム。
【手続補正２】
【補正対象書類名】明細書
【補正対象項目名】００１４
【補正方法】変更
【補正の内容】
【００１４】
図１は、先の特許文献１において開示されているように、テーパを付けられているシャフト１０に取り付けられている回転リング１２を示している。この回転リング１２には、パターンを規定し、そして読取りヘッド（不図示）によって読まれ得る目盛１４が設けられている。例えば、その目盛線は、少しずつ増える目盛りのための周期的なパターンを規定し、または、絶対位置の目盛りを形成する、見掛け上ランダムな並びまたは離散した電信用暗号を規定しても良い。回転リング１２の内側の表面１８には、リングの軸Ａに対してある角度にテーパを付けられた表面が設けられている。そのテーパを付けられた表面は、リング１２の直径とシャフト１０の直径とに関して精密公差の必要性を排除する。加えて、テーパは、回転パーツに取り付けられている、同軸に据え付けられない回転リング１２によってもたらされる誤差を低減する。リングの軸Ａに対するテーパαの角度は、小さな径方向誤差を大きな軸方向誤差へ拡大するのに役立ち、かくしてシャフトのテーパ１０に対するリング１２の正確な心出しを可能にする。
【手続補正書】
【提出日】平成18年5月19日(2006.5.19)
【手続補正１】
【補正対象書類名】特許請求の範囲
【補正対象項目名】請求項３
【補正方法】変更
【補正の内容】
【請求項３】
前記ポリマー・シェルまたはシェル群が次のいずれかおよびそれらの誘導体から形成される請求項１または２に記載のＳＥＲＲＳ活性ビーズ：
アクリル酸およびその誘導体類（２−ブロモアクリル酸、アクリロイルクロライド、Ｎ−アクリロイルチロシン、Ｎ−アクリロイルピロリジノン）、アクリル酸エステル類（アクリル酸アルキルエステル類、アクリル酸アリルエステル類、アクリル酸ヒドロキシプロピルエステル）、メタクリル酸およびその誘導体類（イタコン酸、２−（トリフルオロメチル）プロペン酸）、メタクリル酸エステル類（メタクリル酸メチルエステル、メタクリル酸ヒドロキシエチルエステル、メタクリル酸３−スルホプロピルエステルナトリウム塩）、スチレン類（（２、３、および４）−アミノスチレン、スチレン−４−スルホン酸、３−ニトロスチレン）、ビニル類（ビニルクロロホルメート、４−ビニル安息香酸、４−ビニルベンズアルデヒド、ビニルイミダゾール、４−ビニルフェノール、４−ビニルアミン、アクロレイン）、ビニルピリジン類（（２、３、および４）−ビニルピリジン、３−ブテン１，２−ジオール）、ボロン酸類（４−ビニルボロン酸）、スルホン酸類（４−ビニルスルホン酸）、金属キレーター類（スチレンイミノ二酢酸）、アクリルアミド類およびその誘導体類（Ｎ−メチルアクリルアミド）、メタクリルアミド類およびその誘導体類（Ｎ，Ｎ−ジメチルアクリルアミド、Ｎ−（３−アミノプロピル）メタクリルアミド）、アルケン類（４−ペンテン酸、３−クロロ−１−フェニル−１−プロペン）、無水（メタ）アクリル酸およびその誘導体類（無水メタクリル酸）、シリコン含有モノマー類（（３−メタクリロキシプロピル）トリメトキシシラン、テトラメチルジシロキサン）、ポリエン類（イソプレン、３−ヒドロキシ−３，７，１１−トリメチル−１，６，１０−ドデカトリエン）、アジド類（４−アジド−２，３，５，６−テトラフルオロ安息香酸）、チオール類（アリルメルカプタン）。
【手続補正２】
【補正対象書類名】特許請求の範囲
【補正対象項目名】請求項５
【補正方法】変更
【補正の内容】
【請求項５】
前記ポリマー・シェル（群）が、ジ−、トリ−、テトラ−、およびペンタ−官能性アクリル酸エステル類、メタクリル酸エステル類、アクリルアミド類、ビニル類、アリル類、およびスチレン類から選択される対象ポリマー化合物に堅さを与える架橋剤を含む先行するいずれかの請求項に記載のＳＥＲＲＳ活性ビーズ。
【手続補正３】
【補正対象書類名】特許請求の範囲
【補正対象項目名】請求項２２
【補正方法】変更
【補正の内容】
【請求項２２】
標的分子が、抗体、抗原、受容体、リガンド、または核酸分子である請求項２１に記載の方法。
【手続補正書】
【提出日】平成18年6月14日(2006.6.14)
【手続補正１】
【補正対象書類名】特許請求の範囲
【補正対象項目名】請求項２９
【補正方法】変更
【補正の内容】
【請求項２９】
少なくとも１個の触媒（１８）又は少なくとも１個の主触媒（２２）がセラミックサポートに担持されている、請求項１〜２６の１項記載の内燃機関設備。
【手続補正書】
【提出日】平成18年9月5日(2006.9.5)
【手続補正１】
【補正対象書類名】明細書
【補正対象項目名】００２５
【補正方法】変更
【補正の内容】
【００２５】
図示の簡単化のため、以下に示す実施例では、図１のウェハ表面に垂直（な面内）に延在する結像軸が選択された。この構成は図面としてより簡単になるだけでなく、本発明の装置をより簡単に調整することができるので構造的にもより簡単になる。
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
電気泳動ディスプレイ装置であって、第１及び第２の基板間に挟まれた電気泳動材料の層を有し、前記ディスプレイのピクセルは、更に、前記電気泳動層の前記材料を局所的に制御するための第１及び第２の電極を有する、電気泳動ディスプレイ装置において、トランスフレクティブ動作を可能にするために、前記第１及び第２の電極は、当該第１及び第２の電極に信号が印加されると前記電気泳動層中で実質的に横方向の電場が生成されるように、前記第１の基板から実質的に同じ距離に配置されることを特徴とする電気泳動ディスプレイ装置。
【請求項２】
請求項１に記載のディスプレイ装置において、前記第１及び第２の電極は、互いに実質的に平行に構成される、ディスプレイ装置。
【請求項３】
請求項１又は２に記載のディスプレイ装置において、前記第１及び第２の電極は、実質的に前記第１の基板上に構成される、ディスプレイ装置。
【請求項４】
請求項３に記載のディスプレイ装置において、前記第１の基板は、透過型前面基板である、ディスプレイ装置。
【請求項５】
請求項３又は４に記載のディスプレイ装置において、更に、前記ピクセルの貯蔵部を生成するための光シールド素子を有し、前記光シールド素子は、前記第１の基板と前記第１及び第２の電極のうちの１つとの間に構成される、ディスプレイ装置。
【請求項６】
請求項１乃至５の何れか１項に記載のディスプレイ装置において、背面基板である前記基板のうちの１つの上の、前記ディスプレイ装置のビューア側から見て前記第１及び第２の電極の間の領域に、リフレクタ素子が構成される、ディスプレイ装置。
【請求項７】
請求項６に記載のディスプレイ装置において、前記背面基板は透過型であり、前記リフレクタは、トランスフレクティブ動作を許可するために、半透過型リフレクタ又はパターンリフレクタの何れかである、ディスプレイ装置。
【請求項８】
請求項７に記載のディスプレイ装置において、前記パターンリフレクタは、前記ピクセルが、リフレクタ領域及び透過領域を有し、これら領域のそれぞれが実質的に前記第１及び第２の電極間に延在するようなものである、ディスプレイ装置。
【請求項９】
請求項７に記載のディスプレイ装置において、前記パターンリフレクタは、前記ピクセルが、リフレクタ領域及び透過領域を有し、これら領域のそれぞれが実質的に前記第１及び第２の電極に平行になるようなものである、ディスプレイ装置。
【請求項１０】
請求項１乃至９の何れか１項に記載のディスプレイ装置において、電気泳動材料の前記層は、吸収粒子又は反射粒子の何れかが液体に縣濁した懸濁液から構成される、ディスプレイ装置。
【請求項１１】
請求項１乃至１０の何れか１項に記載のディスプレイ装置において、電気泳動材料の前記層は、互いに異なった吸収スペクトルを持つ粒子を含む２つ以上のドメインを有する、ディスプレイ装置。
【請求項１２】
請求項１乃至１１の何れか１項に記載のディスプレイ装置において、電気泳動材料の前記層は、互いに異なった吸収スペクトルを持つ２つ以上の種類の粒子を有する少なくとも１つのドメインを有する、ディスプレイ装置。
【手続補正書】
【提出日】平成18年7月12日(2006.7.12)
【手続補正１】
【補正対象書類名】特許請求の範囲
【補正対象項目名】請求項１
【補正方法】変更
【補正の内容】
【請求項１】
（ｉ）  フォトニック結晶ファイバー；及び
（ｉｉ）  前記フォトニック結晶ファイバーを取り囲む保護コーティング、ここで前記保護コーティングは以下の性質：
（ａ）  少なくとも２５％の破断時伸び；
（ｂ）  １００ＭＰａより低い割線モジュラス；
（ｃ）  少なくとも０．２Ｎの、５０％ＲＨにおけるガラスへの接着力；
（ｄ）  少なくとも０．０２Ｎの、９５％ＲＨにおけるガラスへの接着力；及び
（ｅ）  １０重量％未満の水感性
の１つ以上を有する、
を含む被覆されたフォトニック結晶ファイバー。
【手続補正２】
【補正対象書類名】明細書
【補正対象項目名】００５１
【補正方法】変更
【補正の内容】
【００５１】
【表５】
2005533287.tif 000001
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
橋梁滑り軸受などの土木用の軸受を構成する滑り軸受材料としての超高分子量ポリエチレンにおいて、
前記滑り軸受材料が少なくとも面圧、滑り量、滑り速度の全て又はいずれかに関して欧州規格ＥＮ１３３７−２に基づいて規定され検査される基準値よりも大きな値を有することを特徴とする超高分子量ポリエチレン。
【請求項２】
前記滑り軸受がリニアモーターカーのための構造体の中で使用され、欧州規格ＥＮ１３３７−２の条件を超える荷重負荷を受けることを特徴とする請求項１に記載の超高分子量ポリエチレン。
【請求項３】
前記滑り軸受材料が欧州規格ＥＮ１３３７−２に基づく最大基準値の１.５倍までの面圧を許容することを特徴とする請求項１又は２に記載の超高分子量ポリエチレン。
【請求項４】
前記滑り軸受材料が欧州規格ＥＮ１３３７−２に基づく最大基準値の３倍までの滑り量を許容することを特徴とする請求項１から３のいずれか１項に記載の超高分子量ポリエチレン。
【請求項５】
前記滑り軸受材料が欧州規格ＥＮ１３３７−２に基づく最大基準値の５倍までの滑り速度を許容することを特徴とする請求項１から４のいずれか１項に記載の超高分子量ポリエチレン。
【請求項６】
前記滑り軸受材料が−３５℃温度下で欧州規格ＥＮ１３３７−２に基づく要件を満たしていることを特徴とする請求項１から５のいずれか１項に記載の超高分子量ポリエチレン。
【請求項７】
超高分子量ポリエチレンとともに初期潤滑の目的でシリコングリースが使用されることを特徴とする請求項１から６のいずれか１項に記載の超高分子量ポリエチレン。
【請求項８】
請求項３から６のいずれか１項に記載の仕様パラメータを有する産業用滑り軸受であって、欧州規格ＥＮ１３３７−２の条件より大きな荷重負荷を受ける高速区間の橋梁用であるものにおいて、
前記滑り軸受が滑り軸受材料として超高分子量ポリエチレンを備えていることを特徴とする滑り軸受。
【請求項９】
前記滑り軸受材料には形状安定性を改善するために充填材として、ガラス粒子、ガラス微粒子、セラミック微粒子の全て又はいずれかが含まれていることを特徴とする請求項８に記載の滑り軸受。
【請求項１０】
前記滑り軸受材料には滑り特性を改善するために添加物として、煤、ＭｏＳ２、油の全て又はいずれかが含まれていることを特徴とする請求項８又は請求項９に記載の滑り軸受。
【請求項１１】
前記滑り軸受は平らな又は湾曲した滑り円板あるいは滑り板の形態またはガイド帯の形態での滑り軸受材料を備えていることを特徴とする請求項８から１０のいずれか１項に記載の滑り軸受。
【請求項１２】
前記滑り軸受材料が潤滑剤を受け入れるためのグリースポケットを有することを特徴とする請求項８から１１のいずれか１項に記載の滑り軸受。
【請求項１３】
グリースポケットに、初期潤滑用のシリコングリースが備えられることを特徴とする請求項８から１２のいずれか１項に記載の滑り軸受。
【請求項１４】
前記滑り円板又は滑り板が支持板に設けられ、その際少なくとも板厚の半分まで入り込むことを特徴とする請求項１１に記載の滑り軸受。
【請求項１５】
請求項８から１４のいずれか１項に記載の滑り軸受に用いられる超高分子量ポリエチレン製の滑り軸受材料において、
その表面部分がシリコングリースによって改質されていることを特徴とする滑り軸受材料。
【請求項１６】
圧力負荷や擦り付け塗布によって，シリコングリースが表面に入り込むことを特徴とする請求項１５に記載の滑り軸受材料。
【請求項１７】
滑り軸受の軸受作用によって、シリコングリースが表面に入り込むことを特徴とする請求項１６に記載の滑り軸受材料。
【請求項１８】
シリコングリースがメチルフェニルシリコングリースに基づくシリコングリースであることを特徴とする請求項１５から１７のいずれか１項に記載の滑り軸受材料。
【請求項１９】
シリコングリースが以下の性質、
滴点：ＤＩＮ  ＩＳＯ−２１７６に基づいて＞２００℃；
混和ちょう度：ＤＩＮ  ＩＳＯ−２１３７に基づいて２０ｍｍ−３５ｍｍ；
押し出し圧力：ＤＩＮ  ５１８０５に基づいて２０℃で＜２００ｈＰａ；
押し出し圧力：ＤＩＮ  ５１８０５に基づいて−４０℃で＜１０００ｈＰａ；
油分離：ＤＩＮ  ５１８１７に基づいて４０℃で１８時間において＜１.５％；
を有することを特徴とする請求項１５から１８のいずれか１項に記載の滑り軸受材料。
【請求項２０】
前記混和ちょう度が、ＤＩＮ  ＩＳＯ−２１３７に基づいて、２５ｍｍ−３０ｍｍであることを特徴とする請求項１９に記載の滑り軸受材料。
【請求項２１】
前記混和ちょう度が、ＤＩＮ  ＩＳＯ−２１３７に基づいて、２６.５ｍｍ−２９.５ｍｍであることを特徴とする請求項１９又は２０に記載の滑り軸受材料。
【請求項２２】
前記油分離が、ＤＩＮ  ５１８１７に基づいて４０℃で１８時間において＜１％であることを特徴とする請求項１９〜２１のいずれか１項に記載の滑り軸受材料。
【手続補正２】
【補正対象書類名】明細書
【補正対象項目名】００１３
【補正方法】変更
【補正の内容】
【００１３】
特にリチウム鹸化されたシリコングリースはメチルフェニルシリコングリースに基づくシリコングリースとして評価される。必要となる性質のうちの一つまたは複数を有する限りにおいて別のシリコングリースを使用することも考慮されてよい。使用されているシリコングリースは、ＤＩＮ  ＩＳＯ−２１７６に基づいて＞２００℃の滴点，特に２１０℃であり、ＤＩＮ  ＩＳＯ−２１３７に基づいて２０ｍｍ−３５ｍｍの混和ちょう度，特に２５ｍｍ−３０ｍｍ，好ましくは２６.５ｍｍないし２９.５ｍｍであり、ＤＩＮ  ５１８０５に基づいて２０℃の場合には＜２００ｈＰａの押し出し圧力あるいは−４０℃の場合には＜１０００ｈＰａの押し出し圧力であり、ＤＩＮ  ５１８１７に基づいて４０℃で１８時間の場合において＜１．５％の油分離，特に＜１％の油分離の特性をもつものである。
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
（ａ）低分子量の生腐食性の生体適合性重合体、
（ｂ）２５℃における７％以下の水中混和性を有し、そして重合体を可塑化し且つそれと共にゲルを生成するのに有効な量で存在する、芳香族アルコール、芳香族酸のエステル、芳香族ケトン、およびそれらの混合物よりなる群から選択される溶媒、並びに
（ｃ）有益な薬剤
を含んでなる、注入可能なデポ剤組成物。
【請求項２】
溶媒が構造式（Ｉ）
Ａｒ−（Ｌ）ｎ−ＯＨ
［式中、Ａｒはアリールまたはヘテロアリールであり、ｎは０または１であり、そしてＬは結合部分である］
を有する芳香族アルコールを含んでなる、請求項１の注入可能なデポ剤組成物。
【請求項３】
Ａｒが単環式アリールまたはヘテロアリールであり、ｎが１であり、そしてＬが場合により少なくとも１個のヘテロ原子を含有してもよい低級アルキレンである、請求項２の注入可能なデポ剤組成物。
【請求項４】
Ａｒが単環式アリールでありそしてＬが低級アルキレンである、請求項３の注入可能なデポ剤組成物。
【請求項５】
ＡｒがフェニルでありそしてＬがメチレンである、請求項４の注入可能なデポ剤組成物。
【請求項６】
溶媒が芳香族アルコールおよび芳香族酸のエステルの混合物である、前記請求項のいずれか１項の注入可能なデポ剤組成物。
【請求項７】
芳香族アルコールがベンジルアルコールでありそして芳香族酸のエステルが安息香酸の低級アルキルエステルまたはアラルキルエステルである、請求項６の注入可能なデポ剤組成物。
【請求項８】
芳香族酸のエステルが安息香酸ベンジルでありそして芳香族酸の低級アルキルエステルが安息香酸エチルである、請求項７の注入可能なデポ剤組成物。
【請求項９】
芳香族アルコール対芳香族酸のエステルの比が１重量％〜９９重量％の範囲内である、請求項７または８の注入可能なデポ剤組成物。
【請求項１０】
芳香族アルコール対芳香族酸のエステルの比が２０重量％〜８０重量％の範囲内である、請求項９の注入可能なデポ剤組成物。
【請求項１１】
低分子量重合体が３０００〜１０，０００の範囲にわたる分子量を有する、前記請求項のいずれか１項の注入可能なデポ剤組成物。
【請求項１２】
低分子量重合体が３０００〜８，０００の範囲にわたる分子量を有する、請求項１１の注入可能なデポ剤組成物。
【請求項１３】
低分子量重合体が４０００〜６，０００の範囲にわたる分子量を有する、請求項１２の注入可能なデポ剤組成物。
【請求項１４】
低分子量重合体が５０００の分子量を有する、請求項１３の注入可能なデポ剤組成物。
【請求項１５】
重合体が、ポリラクチド類、ポリグリコリド類、ポリ無水物、ポリアミン類、ポリエステルアミド類、ポリオルトエステル類、ポリジオキサノン類、ポリアセタール類、ポリケタール類、ポリカーボネート類、ポリホスホエステル類、ポリオルトカーボネート類、ポリホスファゼン類、スクシネート類、ポリ（リンゴ酸）、ポリ（アミノ酸）類、ポリビニルピロリドン、ポリエチレングリコール、ポリヒドロキシセルロース、キチン、キトサン、ヒアルロン酸、並びにそれらの共重合体、三元共重合体および混合物よりなる群から選択される、前記請求項のいずれか１項の注入可能なデポ剤組成物。
【請求項１６】
重合体が乳酸−ベース重合体である、前記請求項のいずれか１項の注入可能なデポ剤組成物。
【請求項１７】
重合体が乳酸およびグリコール酸の共重合体である、請求項１６の注入可能なデポ剤組成物。
【請求項１８】
５重量％〜９０重量％の生腐食性の生体適合性の乳酸−ベース重合体を含んでなる、請求項１６または１７の注入可能なデポ剤組成物。
【請求項１９】
重合体が組成物の１０重量％〜８５重量％に相当する、前記請求項のいずれか１項の注入可能なデポ剤組成物。
【請求項２０】
重合体が組成物の３５重量％〜６５重量％に相当する、請求項１９の注入可能なデポ剤組成物。
【請求項２１】
（ａ）５重量％〜９０重量％の、３，０００〜１０，０００の範囲内の重量平均分子量を有する低分子量ポリ（ラクチド−コ−グリコリド）（ＰＬＧＡ）共重合体、
（ｂ）５重量％〜９０重量％の、芳香族アルコール、芳香族酸のエステル、およびそれらの混合物よりなる群から選択される溶媒、
を含んでなる、請求項１の注入可能なデポ剤組成物。
【請求項２２】
芳香族アルコールがベンジルアルコールでありそして芳香族酸のエステルが安息香酸ベンジルである、請求項２１の注入可能なデポ剤組成物。
【請求項２３】
下記のもの：孔形成剤、有益な薬剤のための溶解度調節剤、および浸透剤、の少なくとも１種をさらに包含する、前記請求項のいずれか１項の注入可能なデポ剤組成物。
【請求項２４】
有益な薬剤が、薬品、蛋白質、酵素、ホルモン、ポリヌクレオチド、核蛋白質、多糖類、糖蛋白質、リポ蛋白質、ポリペプチド、ステロイド、鎮痛薬、局部麻酔薬、抗生物質剤、化学療法剤、免疫阻害剤、抗炎症剤、抗増殖剤、抗有糸分裂剤、脈管形成剤、抗精神病薬、中枢神経系（ＣＮＳ）剤、抗凝血剤、フィブリン溶解剤、成長因子、抗体、目薬、並びにそれらの代謝産物、同族体、誘導体、および断片から選択される、前記請求項のいずれか１項の注入可能なデポ剤組成物。
【請求項２５】
有益な薬剤が、鎮痛薬、局部麻酔薬、抗生物質剤、抗炎症剤、抗精神病薬、抗凝血剤、並びにそれらの代謝産物、同族体、誘導体、および断片から選択される、請求項２４の注入可能なデポ剤組成物。
【請求項２６】
有益な薬剤が、重合体、溶媒および有益な薬剤の合計量の０．１〜５０重量％の量で存在する、前記請求項のいずれか１項の注入可能なデポ剤組成物。
【請求項２７】
有益な薬剤が粘性ゲル中に分散または溶解した粒子の形態である、前記請求項のいずれか１項の注入可能なデポ剤組成物。
【請求項２８】
有益な薬剤が０．１〜２５０ミクロンの平均粒子径を有する粒子の形態である、請求項２７の注入可能なデポ剤組成物。
【請求項２９】
有益な薬剤が、粒子が安定剤、増量剤、キレート化剤および緩衝剤よりなる群から選択される成分をさらに含んでなる粒子の形態である、請求項２７または請求項２８の注入可能なデポ剤組成物。
【請求項３０】
（ａ）低分子量の生腐食性の生体適合性重合体、
（ｂ）２５℃における７％以下の水中混和性を有し、そして重合体を可塑化し且つそれと共にゲルを生成するのに有効な量で存在する、芳香族アルコール、芳香族酸のエステル、芳香族ケトン、およびそれらの混合物よりなる群から選択される溶媒、および
（ｃ）有益な薬剤、
並びに、下記の１種もしくはそれ以上：
（ｄ）乳化剤、
（ｅ）孔形成剤、
（ｆ）場合により有益な薬剤と会合されていてもよい、有益な薬剤のための溶解度調節剤、および
（ｇ）浸透剤
を含んでなる、有益な薬剤を被験者に投与するためのキットであって、ここで少なくとも有益な薬剤は、場合により溶解度調節剤と会合されて、被験者に対する有益な薬剤の投与時間までは溶媒から分離されて保たれているようなキット。
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
近視の処置のための医薬の製造における、ＧＡＢＡ−Ｃレセプターアンタゴニストの使用。
【請求項２】
該ＧＡＢＡ−Ｃアンタゴニストが一般式Ｉおよび一般式ＩＩ
【化１】
2005533082.tif 000001
〔式中、Ｘは水素、所望によりハロゲンで置換されていてもよいアルキル基、またはヒドロキシアルキル基であり、
Ｙは水素、ハロゲン、または所望によりハロゲン、ニトリルもしくはＮＯ２で置換されていてもよいアルキル基、アルケニル基、アルキニル基またはアシル基であり、一般式Ｉにおいて、Ｙはまた所望によりハロゲン、ニトリルまたはＮＯ２で置換されていてもよいアルコキシ基であり得る。〕
で示される化合物から選択される、請求項１記載の使用。
【請求項３】
該ＧＡＢＡ−ＣレセプターアンタゴニストがＧＡＢＡ−Ｂレセプターに不活性である、請求項１−２のいずれかに記載の使用。
【請求項４】
近視の処置が、眼の異常な軸方向増殖の抑制を意味する、請求項１に記載の使用。
【請求項５】
該ＧＡＢＡ−Ｃアンタゴニストをヒトの眼に局所投与する、請求項１−４のいずれかに記載の使用。
【請求項６】
活性成分としてＧＡＢＡ−Ｃ−アンタゴニストを含む、近視処置剤。
【請求項７】
該ＧＡＢＡ−Ｃレセプターアンタゴニストを静脈内に、経腸的に、または局所的に投与する、請求項６記載の処置剤。
【請求項８】
該ＧＡＢＡ−Ｃアンタゴニストが、一般式ＩまたはＩＩ
【化２】
2005533082.tif 000002
〔式中、Ｘは水素、所望によりハロゲンで置換されていてもよいアルキル基、またはヒドロキシアルキル基であり、
Ｙは水素、ハロゲン、または所望によりハロゲン、ニトリルもしくはＮＯ２で置換されていてもよいアルキル基、アルケニル基、アルキニル基またはアシル基であり、一般式Ｉにおいて、Ｙはまた所望によりハロゲン、ニトリルまたはＮＯ２で置換されていてもよいアルコキシ基であり得る。〕
で示される化合物から選択される、請求項６記載の処置剤。
【請求項９】
該ＧＡＢＡ−ＣアンタゴニストがＴＰＭＰＡ
【化３】
2005533082.tif 000003
である、請求項６記載の処置剤。
【請求項１０】
該ＧＡＢＡ−Ｃアンタゴニストが化合物１ｄ：
【化４】
2005533082.tif 000004
である、請求項６記載の処置剤。
【手続補正２】
【補正対象書類名】明細書
【補正対象項目名】０００３
【補正方法】変更
【補正の内容】
【０００３】
ＵＳ５,３８５,９３９(Laties & Stone)は、ＧＡＢＡ−Ｂアンタゴニストである２−ヒドロキシ−サクロフェンを有効量で投与することを含む、動物の眼の軸方向増殖を抑制する方法を記載している。ファクロフェン、５−アミノ吉草酸、３−アミノプロピル(ジエトキシメチル)ホスフィン酸、３−アミノプロピル(ｎ−ヘキシル)ホスフィン酸および３−アミノプロピルホスホン酸のような他のＧＡＢＡ−Ｂ−アンタゴニストが、適当なＧＡＢＡ−Ｂ−アンタゴニストとして特記されている。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
ａ）１種またはそれ以上の式（Ｉ）の界面活性剤
Ａｒ−Ｏ−(ＣＨＲ1−ＣＨＲ2−Ｏ−)y−Ｒ3      （Ｉ）
（式中、
Ａｒは少なくとも２個の（Ｃ1−Ｃ30）アルキル基で置換されたアリールであり、
Ｒ1はＨまたは（Ｃ1−Ｃ6）アルキルであり、
Ｒ2はＨまたは（Ｃ1−Ｃ6）アルキルであり、
Ｒ3はＨ、非置換であるかまたは置換された（Ｃ1−Ｃ30）炭化水素基、スルホネート基、ホスホネート基またはアシル基であり、そして
ｙは１〜１００の整数である）、および
ｂ）植物油およびそのエステル化生成物から成る群から選択される、１種またはそれ以上の天然由来の脂肪酸エステル（但し、ナタネ油およびトウモロコシ油を除く）
を含む液体アジュバント。
【請求項２】
式（Ｉ）において、ｙが１〜２０の整数である、請求項１に記載の液体アジュバント。
【請求項３】
式（Ｉ）において、
Ａｒが、それに結合した３〜７個の（Ｃ1−Ｃ10）アルキル基を有するナフチルまた
はフェニル基であり、
Ｒ1がＨまたはメチルであり、
Ｒ2がＨまたはメチルであり、
Ｒ3がＨ、（Ｃ1−Ｃ30）アルキル、（Ｃ2−Ｃ30）アルケニル、（Ｃ2−Ｃ30）アルキニル、スルフェート基、ホスフェート基またはアシル基であり、そして
ｙが１〜２０の整数である、
請求項１または２に記載の液体アジュバント。
【請求項４】
脂肪酸エステルｂ）が天然油である、請求項１〜３のいずれか１項に記載の液体アジュバント。
【請求項５】
脂肪酸エステルｂ）が植物油である、請求項１〜４のいずれか１項に記載の液体アジュ
バント。
【請求項６】
脂肪酸エステルｂ）がナタネ油アルキルエステルである、請求項１〜５のいずれか１項に記載の液体アジュバント。
【請求項７】
作物保護に慣用される１種またはそれ以上の補助剤をさらに含む、請求項１〜６のいずれか１項に記載の液体アジュバント。
【請求項８】
成分を相互に混合する、請求項１〜７のいずれか１項に記載の液体アジュバントの製造方法。
【請求項９】
農薬組成物を製造するための、請求項１〜７のいずれか１項に記載の液体アジュバントの使用。
【請求項１０】
α）１種またはそれ以上の請求項１〜７のいずれか１項に記載の液体アジュバント、および
β）１種またはそれ以上の農薬活性物質
を含む農薬組成物。
【請求項１１】
農薬活性物質が除草剤である、請求項１０に記載の農薬組成物。
【請求項１２】
農薬活性物質がスルホニル尿素である、請求項１０または１１に記載の農薬組成物。
【請求項１３】
農薬活性物質および作物保護に慣用される補助剤からなる群から選択される１種またはそれ以上の他の成分をさらに含む、請求項１０〜１２のいずれか１項に記載の農薬組成物。
【請求項１４】
請求項１０〜１３のいずれか１項に記載の農薬組成物の成分を一緒にまたは別個に、有害生物またはそれらが発生する場所に施用する、有害生物の防除方法。
【請求項１５】
請求項１１〜１３のいずれか１項に記載の除草剤組成物の成分を一緒にまたは別個に、有害植物、該植物部分、該植物の種子または該植物が生長する地域に施用する、有害植物の防除方法。
【請求項１６】
農作物における有害植物を選択的に防除するための、請求項１５に記載の方法。
【請求項１７】
有害生物を防除するための、請求項１０〜１３のいずれか１項に記載の農薬組成物の使用。
【請求項１８】
有害植物を防除するための、請求項１１〜１３のいずれか１項に記載の除草剤組成物の使用。
【請求項１９】
成分を相互に混合する、請求項１０〜１３のいずれか１項に記載の農薬組成物の製造方法。
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
粘膜接着性投与処方物であって、該投与処方物は、ベースポリマー中に、該ベースポリマーが粘膜に接着する能力を増強するために有効な量で組み込まれた、短鎖ポリマーを含み、該短鎖ポリマーは、無水物オリゴマー以外の約２０，０００Ｄａ以下の分子量を有し、該無水物オリゴマーは、約５０００未満の分子量を有するか、または無水物結合により結合された１個〜約２０個の二酸単位を含み、
該短鎖ポリマーは、ポリビニルアルコール、ポリアミノ酸、脂肪酸、エチレン酢酸ビニル、ポリアミド、ポリカーボネート、ポリアルキレン、ポリアリールアルキレン、ポリアルキレングリコール、ポリアルキレンオキシド、ポリアルキレンテレフタレート、ポリビニルポリマー、ポリホスファゼン、ポリアクリルアミド、ポリシロキサン、ポリウレタン、アクリル酸ポリマーおよびメタクリル酸ポリマー、ジカルボン酸、トリカルボン酸、セルロース、ポリエステル、ポリ（ヒドロキシ酸）、ならびにこれらの混合物およびこれらのコポリマーからなる群より選択される、炭化水素を含む、投与処方物。
【請求項２】
請求項１に記載の投与処方物であって、前記短鎖ポリマーは、イオン結合または共有結合によって前記ベースポリマーと会合している、投与処方物。
【請求項３】
請求項１に記載の投与処方物であって、前記短鎖ポリマーは、前記ベースポリマーと混合されている、投与処方物。
【請求項４】
請求項１に記載の投与処方物であって、前記ベースポリマーは、タンパク質および多糖からなる群より選択される、投与処方物。
【請求項５】
請求項１に記載の投与処方物であって、前記ベースポリマーは、ポリアミド、ポリカーボネート、ポリアルキレン、ポリアリールアルキレン、ポリアルキレングリコール、ポリアルキレンオキシド、ポリアルキレンテレフタレート、ポリビニルポリマー、ポリホスファゼン、ポリアクリルアミド、ポリシロキサン、ポリウレタン、アクリル酸ポリマーおよびメタクリル酸ポリマー、セルロース、ポリ無水物、ポリエステル、ポリ（ヒドロキシ酸）、ならびにそれらの混合物およびそれらのコポリマーからなる群より選択される、投与処方物。
【請求項６】
請求項１に記載の投与処方物であって、前記ベースポリマーは、ミクロスフェアの形態で存在する、投与処方物。
【請求項７】
請求項６に記載の投与処方物であって、前記短鎖ポリマーは、前記ミクロスフェアの少なくとも表面上に微細な粒子分散物の形態で存在する、投与処方物。
【請求項８】
請求項１に記載の投与処方物であって、前記ポリマーは、フィルムまたはコーティングを形成する、投与処方物。
【請求項９】
請求項８に記載の投与処方物であって、前記ポリマーは、制御放出薬物送達系上にコーティングを形成する、投与処方物。
【請求項１０】
錠剤またはカプセルの形態である、請求項１に記載の投与処方物。
【請求項１１】
請求項６に記載の投与処方物であって、前記短鎖ポリマーを組み込むベースポリマーが、異なる材料から形成されたミクロスフェアの表面上にコートされる、投与処方物。
【請求項１２】
請求項１〜１１のうちのいずれか１項に記載の投与処方物であって、該処方物は、治療剤または診断剤をさらに含む、投与処方物。
【請求項１３】
請求項１２に記載の投与処方物であって、前記診断剤は、気体、気体発生剤および放射線不透明化合物からなる群より選択される、投与処方物。
【請求項１４】
請求項１に記載の投与処方物であって、前記ポリマーは、治療剤を含む薬物送達デバイスを規定するかまたは該薬物送達デバイスをコートする、投与処方物。
【請求項１５】
請求項１に記載の投与処方物であって、前記ポリマーは、外科用移植デバイスを規定するかまたは該デバイスをコートする、投与処方物。
【請求項１６】
患者の粘膜に薬学的に受容可能なキャリア中にある治療剤または診断剤を送達するための投与処方物であって、
請求項１〜１５のうちのいずれか１項に記載の投与処方物を含む、投与処方物。
【請求項１７】
請求項１６に記載の投与処方物であって、該投与処方物は、経鼻投与、経膣投与、直腸投与および経口投与からなる群より選択される経路による投与のために適切である、投与処方物。
【請求項１８】
請求項１６に記載の投与処方物であって、前記粘膜は、胃腸粘膜、呼吸粘膜、排出粘膜、および生殖粘膜からなる群より選択される、投与処方物。
【請求項１９】
増強された粘膜接着を有する投与処方物を提供するための方法であって、該方法は、
請求項１〜１５のうちのいずれか１項に記載の投与処方物を提供する工程
を包含する、方法。
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
患者の肝炎を治療するための薬学的組成物を調製するための、一酸化炭素の使用。
【請求項２】
薬学的組成物が気体状である、請求項1記載の使用。
【請求項３】
薬学的組成物が、経口的に、吸入によって、または患者の腹腔への直接投与によって患者に投与される、請求項1記載の使用。
【請求項４】
患者がA型肝炎ウイルス、B型肝炎ウイルス、C型肝炎ウイルス、D型肝炎ウイルス、E型肝炎ウイルス、およびG型肝炎ウイルスからなる群より選択されるウイルスに感染している、請求項1記載の使用。
【請求項５】
患者がアルコール中毒者である、請求項1記載の使用。
【請求項６】
肝炎の治療が、肝炎誘発性薬物の投与の留保または低減、および患者へのコルチコステロイドまたは抗ウイルス剤の投与からなる群より選択される治療を患者に実施する段階をさらに含む、請求項1記載の使用。
【請求項７】
薬学的組成物が人工肺または体外膜型気体交換装置によって患者に投与される、請求項1記載の使用。
【請求項８】
肝炎が肝毒性因子への曝露によって引き起こされる、請求項1記載の使用。
【請求項９】
肝炎が手術またはエンドトキシンによって引き起こされない、請求項1記載の使用。
【請求項１０】
以下を特徴とする、患者の肝炎を治療するための薬学的組成物を調製するための一酸化炭素の使用：
（a）一酸化炭素気体を含む加圧気体の形態の薬学的組成物を含む容器を提供すること；
（b）薬学的組成物を容器から放出し、一酸化炭素気体を含む雰囲気を形成すること；および
（c）患者を雰囲気に曝露すること。
【請求項１１】
以下を特徴とする、患者に肝毒性薬を投与するための薬学的組成物を調製するための一酸化炭素の使用：
（a）肝毒性薬を患者に投与すること；および
（b）段階（a）の実施前、実施中、または実施後に、薬学的組成物を患者に投与すること。
【請求項１２】
肝毒性薬がイソニアジド、メチルドパ、アセトアミノフェン、アミオダロン、およびニトロフラントインからなる群より選択される、請求項11記載の使用。
【請求項１３】
医療用圧縮一酸化炭素気体を含む容器であって、その気体が患者の肝炎の治療に用いることができることを明記したラベルが貼付される容器。
【請求項１４】
気体を肝毒性薬の投与とともに患者に投与できることがラベルにさらに明記される、請求項13記載の容器。
【請求項１５】
医療用圧縮一酸化炭素気体を含む容器であって、その気体を肝毒性薬の投与とともに患者に投与できることを明記したラベルが貼付される容器。
【請求項１６】
一酸化炭素気体が酸素含有気体との混合物である、請求項13、14、または15記載の容器。
【請求項１７】
一酸化炭素気体が混合物中に少なくとも約0.025％、少なくとも約0.05％、少なくとも約0.10％、少なくとも約1.0％、または少なくとも約2.0％の濃度で存在する、請求項13、14、または15記載の容器。
【請求項１８】
以下を特徴とする、患者の肝炎を治療するための薬学的組成物を調製するための、一酸化炭素の使用：
（a）手術またはエンドトキシンによって引き起こされない肝炎の患者またはその危険性を有する患者を同定すること；および
（b）薬学的組成物を患者に投与すること。
【請求項１９】
一酸化炭素を有効成分として含有する、肝炎治療剤。
【手続補正書】
【提出日】平成18年7月4日(2006.7.4)
【手続補正１】
【補正対象書類名】明細書
【補正対象項目名】００２６
【補正方法】変更
【補正の内容】
【００２６】
本発明の一態様では、所定サイズの結晶をガラス製バイアルに充填し、窒素を吹き込み、ゴム製の栓で密封する。このバイアル剤を、好ましくは２５〜３５ｋＧｙの範囲のガンマ線で最終滅菌をするか、または無菌条件下で生産し得る。
【手続補正２】
【補正対象書類名】明細書
【補正対象項目名】００４３
【補正方法】変更
【補正の内容】
【００４３】
【表２】
2005533093.tif 000001
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
ａ）１種またはそれ以上の式（Ｉ）
Ａｒ−Ｏ−(ＣＨＲ1−ＣＨＲ2−Ｏ−)y−Ｒ3        （Ｉ）
（式中、
Ａｒは少なくとも２個の（Ｃ1−Ｃ30）アルキル基で置換されたアリールであり、
Ｒ1はＨまたは（Ｃ1−Ｃ6）アルキルであり、
Ｒ2はＨまたは（Ｃ1−Ｃ6）アルキルであり、
Ｒ3はＨ、非置換であるかまたは置換された（Ｃ1−Ｃ30）炭化水素基、スルホネート基、ホスホネート基またはアシル基であり、そして
ｙは１〜１００の整数である）の界面活性剤、および
ｂ）１種またはそれ以上の充填剤
を含む顆粒。
【請求項２】
式（Ｉ）において、ｙが１５〜１００の整数である、請求項１に記載の顆粒。
【請求項３】
式（Ｉ）において、
Ａｒが、それに結合した３〜７個の（Ｃ1−Ｃ10）アルキル基を有するナフチルまた
はフェニル基であり、
Ｒ1がＨまたはメチルであり、
Ｒ2がＨまたはメチルであり、
Ｒ3がＨ、（Ｃ1−Ｃ30）アルキル、（Ｃ2−Ｃ30）アルケニル、（Ｃ2−Ｃ30）アルキニル、スルフェート基、ホスフェート基またはアシル基であり、そして
ｙが１〜２０の整数である、
請求項１または２に記載の顆粒。
【請求項４】
充填剤ｂ）が無機担体または合成担体である、請求項１〜３のいずれか１項に記載の顆粒。
【請求項５】
作物保護に慣用される１種またはそれ以上の補助剤をさらに含む、請求項１〜４のいずれか１項に記載の顆粒。
【請求項６】
成分を相互に混合する、請求項１〜５のいずれか１項に記載の顆粒の製造方法。
【請求項７】
農薬組成物を製造するための、請求項１〜５のいずれか１項に記載の顆粒の使用。
【請求項８】
ｃ）１種またはそれ以上の農薬活性物質
をさらに含む、請求項１〜５のいずれか１項に記載の顆粒。
【請求項９】
農薬活性物質が除草剤である、請求項８に記載の顆粒。
【請求項１０】
農薬活性物質がジフルフェニカン、フェノキサプロプ−Ｐ−エチル、メタミトロン、エトフメセート、フェンメジファム、デスメジファムまたはリン含有除草剤からなる群から選択される、請求項８または９に記載の顆粒。
【請求項１１】
農薬活性物質および作物保護に慣用される補助剤からなる群から選択される１種またはそれ以上の他の成分をさらに含む、請求項８〜１０のいずれか１項に記載の顆粒。
【請求項１２】
請求項８〜１１のいずれか１項に記載の顆粒の成分を一緒にまたは別個に、有害生物またはそれらが発生する場所に施用する、有害生物の防除方法。
【請求項１３】
請求項９〜１１のいずれか１項に記載の顆粒の成分を一緒にまたは別個に、有害植物、該植物部分、該植物の種子または該植物が生長する地域に施用する、有害植物の防除方法。
【請求項１４】
農作物における有害植物を選択的に防除するための、請求項１３に記載の方法。
【請求項１５】
有害生物を防除するための、請求項８〜１１のいずれか１項に記載の顆粒の使用。
【請求項１６】
有害植物を防除するための、請求項９〜１１のいずれか１項に記載の顆粒の使用。
【請求項１７】
成分を相互に混合する、請求項８〜１１のいずれか１項に記載の顆粒の製造方法。
【手続補正書】
【提出日】平成17年11月9日(2005.11.9)
【手続補正１】
【補正対象書類名】特許請求の範囲
【補正対象項目名】請求項１
【補正方法】変更
【補正の内容】
【請求項１】
下記一般式I：
【化１】
2005533053.tif 000001
[式中、基R3, R7, R7’, R9, R13, R16はお互い独立して、次の意味を有し：
R3は、水素原子又は基R18を意味し、ここで
R18は、６個までの炭素原子を有する、直鎖又は枝分かれ鎖の飽和又は不飽和炭化水素基、トリフルオロメチル基、アリール、ヘテロアリール又はアラルキル基、メチル、エチル、トリフルオロメチル、ペンタフルオロエチル、トリフルオロメチルチオ、メトキシ、エトキシ、ニトロ、シアノ、ハロ−（弗素、塩素、臭素、沃素）、ヒドロキシ、アミノ、モノ（C1-6-アルキル）又はジ（C1-6-アルキル）アミノ（ここで、両アルキル基は同一であるか又は異なる）、ジ（アラルキル）アミノ（ここで、両アラルキル基は同一であるか又は異なる）、カルボキシ、カルボキシアルコキシ、C1-C20-アシル又はC1-C20-アシルオキシ基を置換基として有する、置換されたアリール、ヘテロアリール基、又はアシル基COR19を意味し、ここでR19は飽和であるか、又は３個までの位置で不飽和であり、そして部分的に又は完全にハロゲン化される、10個までの炭素原子を有する、直鎖又は枝分かれ鎖の炭化水素基であり、又は
R18は、基R20SO2を意味し、ここでR20は、R21R22N基であり、ここでR21及びR22はお互い独立して、水素原子、C1-C5−アルキル基、基C(O)R23（R23は、飽和であるか、又は３個までの位置で不飽和であり、そして任意には、部分的に又は完全にハロゲン化される、10個までの炭素原子を有する、直鎖又は枝分かれ鎖の炭化水素基を表す）、シクロプロピル、シクロブチル、シクロペンチル、シクロヘキシル又はシクロヘプチル基、C4-C15−シクロアルキルアルキル基（シクロアルキル部分に３〜７個の炭素原子及びアルキル部分に８個までの炭素原子を有する）、又はアリール、ヘテロアリール又はアラルキル基、又は置換されたアリール、ヘテロアリール基（メチル、エチル、トリフルオロメチル、ペンタフルオロエチル、トリフルオロメチルチオ、メトキシ、エトキシ、ニトロ、シアノ、ハロ−（弗素、塩素、臭素、沃素）、ヒドロキシ、アミノ、モノ（C1-4-アルキル）又はジ（C1-6-アルキル）アミノ（ここで、両アルキル基は同一であるか又は異なる）、ジ（アラルキル）アミノ（ここで、両アラルキル基は同一であるか又は異なる）、カルボキシ、カルボキシアルコキシ、C1-C20-アシル又はC1-C20-アシルオキシ基を置換基として有する）、又はN原子と一緒に、４〜６個のC原子を有するポリメチレンイミノ基、又はモルホリノ基を意味し、
R7及びR7’はお互い独立して、水素原子又はハロゲン原子であり、
R9は、部分的に又は完全に弗素化され得る、２〜６個の炭素原子を有する直鎖又は枝分かれ鎖のアルケニル又はアルキニル基、又はエチニル又はプロプ−１−イニル基であり、
R13はメチル基又はエチル基であり、
R16は、ヒドロキシ又は基R18O-, R20SO2-又はOC(O)R23（R18, R20及びR23は個々の場合、R3下に示される意味を有する）であり、
R17及びR17’は個々の場合、お互い独立して、水素原子又はハロゲン原子である]で示される９α−置換のエストラ−1, 3, 5(10)-トリエン誘導体。
【手続補正２】
【補正対象書類名】明細書
【補正対象項目名】００２２
【補正方法】変更
【補正の内容】
【００２２】
R18は、６個までの炭素原子を有する、直鎖又は枝分かれ鎖の飽和又は不飽和炭化水素基、トリフルオロメチル基、アリール、ヘテロアリール又はアラルキル基、メチル、エチル、トリフルオロメチル、ペンタフルオロエチル、トリフルオロメチルチオ、メトキシ、エトキシ、ニトロ、シアノ、ハロ−（弗素、塩素、臭素、沃素）、ヒドロキシ、アミノ、モノ（C1-6-アルキル）又はジ（C1-6-アルキル）アミノ（ここで、両アルキル基は同一であるか又は異なる）、ジ（アラルキル）アミノ（ここで、両アラルキル基は同一であるか又は異なる）、カルボキシ、カルボキシアルコキシ、C1-C20-アシル又はC1-C20-アシルオキシ基を置換基として有する、置換されたアリール、ヘテロアリール基、又はアシル基COR19を意味し、ここでR19は飽和であるか、又は３個までの位置で不飽和であり、そして部分的に又は完全にハロゲン化される、10個までの炭素原子を有する、直鎖又は枝分かれ鎖の炭化水素基であり、又は
【手続補正３】
【補正対象書類名】明細書
【補正対象項目名】００２３
【補正方法】変更
【補正の内容】
【００２３】
R18は、基R20SO2を意味し、ここでR20は、R21R22N基であり、ここでR21及びR22はお互い独立して、水素原子、C1-C5−アルキル基、基C(O)R23（R23は、飽和であるか、又は３個までの位置で不飽和であり、そして任意には、部分的に又は完全にハロゲン化される、10個までの炭素原子を有する、直鎖又は枝分かれ鎖の炭化水素基を表す）、シクロプロピル、シクロブチル、シクロペンチル、シクロヘキシル又はシクロヘプチル基、C4-C15−シクロアルキルアルキル基（シクロアルキル部分に３〜７個の炭素原子及びアルキル部分に８個までの炭素原子を有する）、又はアリール、ヘテロアリール又はアラルキル基、又は置換されたアリール、ヘテロアリール基（メチル、エチル、トリフルオロメチル、ペンタフルオロエチル、トリフルオロメチルチオ、メトキシ、エトキシ、ニトロ、シアノ、ハロ−（弗素、塩素、臭素、沃素）、ヒドロキシ、アミノ、モノ（C1-4-アルキル）又はジ（C1-6-アルキル）アミノ（ここで、両アルキル基は同一であるか又は異なる）、ジ（アラルキル）アミノ（ここで、両アラルキル基は同一であるか又は異なる）、カルボキシ、カルボキシアルコキシ、C1-C20-アシル又はC1-C20-アシルオキシ基を置換基として有する）、又はN原子と一緒に、４〜６個のC原子を有するポリメチレンイミノ基、又はモルホリノ基を意味し、